(57)【要約】【課題】  光学素子を含む装置の温度変化および姿勢変化に対して安定した光学性能を維持できる保持装置の提供。【解決手段】  光学素子を保持する保持装置であって、光学素子を収容し、側面に穴を有する鏡筒と、鏡筒に一端が固定され、鏡筒の軸に直交する方向に一端から離れて鏡筒の外側に他端を有する第１の部材と、上記穴を貫通する第２の部材であって、第１の部材の他端に一端が固定され、第１の部材の他端から上記方向に離れて鏡筒の内側に他端を有する第２の部材と、を有し、第２の部材の他端が光学素子の側面に接触し且つ温度変化による光学素子の側面の変位量と第２の部材の他端の変位量とが一致するように、鏡筒・第１の部材・第２の部材の線膨張係数と、上記方向における鏡筒・第１の部材・第２の部材の寸法とが設定されている保持装置とする。【選択図】  図１
2010097069.tif 000002
【特許請求の範囲】
【請求項１】
光学素子を保持する保持装置であって、
前記光学素子を収容し、側面に穴を有する鏡筒と、
前記鏡筒に一端が固定され、前記鏡筒の軸に直交する方向に前記一端から離れて前記鏡筒の外側に他端を有する第１の部材と、
前記穴を貫通する第２の部材であって、前記第１の部材の前記他端に一端が固定され、前記第１の部材の前記他端から前記方向に離れて前記鏡筒の内側に他端を有する第２の部材と、
を有し、
前記第２の部材の前記他端が前記光学素子の側面に接触し且つ温度変化による前記光学素子の側面の変位量と前記第２の部材の前記他端の変位量とが一致するように、前記鏡筒の線膨張係数、前記第１の部材の線膨張係数、前記第２の部材の線膨張係数、前記方向における前記鏡筒の寸法、前記方向における前記第１の部材の寸法、および前記方向における前記第２の部材の寸法が設定されている、
ことを特徴とする保持装置。
【請求項２】
前記鏡筒の線膨張係数を前記光学素子の線膨張係数より小さく設定し、
前記第１の部材の線膨張係数を前記光学素子の線膨張係数より大きく設定し、
前記第２の部材の線膨張係数を前記光学素子の線膨張係数より小さく設定する、
ことを特徴とする請求項１に記載の保持装置。
【請求項３】
前記鏡筒の線膨張係数を前記光学素子の線膨張係数より大きく設定し、
前記第１の部材の線膨張係数を前記光学素子の線膨張係数より小さく設定し、
前記第２の部材の線膨張係数を前記光学素子の線膨張係数より大きく設定する、
ことを特徴とする請求項１に記載の保持装置。
【請求項４】
前記光学素子の側面に形成された平面部に前記第２の部材の前記他端が接触するようにした、ことを特徴とする請求項１乃至３のいずれかに記載の保持装置。
【請求項５】
前記平面部に接触する平面を有する第３の部材が前記第２の部材の前記他端と前記平面部との間に配置されている、ことを特徴とする請求項４に記載の保持装置。
【請求項６】
前記第３の部材に接触する前記第２の部材の前記他端は、凸の球面形状である、ことを特徴とする請求項５に記載の保持装置。
【請求項７】
前記第１の部材にすり割が設けられている、ことを特徴とする請求項２に記載の保持装置。
【請求項８】
前記第１の部材の前記他端と前記第２の部材の前記一端との間にスペーサを有する、ことを特徴とする請求項１乃至７のいずれかに記載の保持装置。
【請求項９】
前記第２の部材の前記一端が固定される前記第１の部材の前記他端を含む蓋部材を前記第１の部材の他の部分に対して着脱自在に固定する固定部材を有する、ことを特徴とする請求項１乃至８のいずれかに記載の保持装置。
【請求項１０】
前記第２の部材と前記第３の部材との組が前記平面部に対して２つ配置されている、ことを特徴とする請求項５に記載の保持装置。
【請求項１１】
前記第１の部材と前記第２の部材との組が前記光学素子の側面に複数配置されている、ことを特徴とする請求項１乃至１０のいずれかに記載の保持装置。
【請求項１２】
重力の方向に対して傾けた前記鏡筒の軸の方向と重力の方向とを含む平面に関して、前記第１の部材と前記第２の部材との組が対称に複数配置されている、ことを特徴とする請求項１１に記載の保持装置。
【請求項１３】
前記第１の部材と前記第２の部材との組が前記平面上には配置されていない、ことを特徴とする請求項１２に記載の保持装置。
【請求項１４】
前記第１の部材と前記第２の部材との組が不等角度間隔で複数配置されている、ことを特徴とする請求項１１に記載の保持装置。
【請求項１５】
重力の方向に対して前記鏡筒の軸を傾けたときに前記光学素子の荷重が作用しない前記第１の部材の前記他端と前記第２の部材の前記一端との間に、前記第２の部材を前記光学素子に押し付ける弾性部材が配置されている、ことを特徴とする請求項１乃至１４のいずれかに記載の保持装置。
【請求項１６】
前記第１の部材を取り囲む断熱部材を有する、ことを特徴とする請求項１乃至１５のいずれかに記載の保持装置。
【請求項１７】
前記第１の部材を加熱する加熱手段を有する、ことを特徴とする請求項１乃至１５のいずれかに記載の保持装置。
【請求項１８】
前記第１の部材および前記第２の部材は、３０ＧＰａ以上のヤング率を有する、ことを特徴とする請求項１乃至１７のいずれかに記載の保持装置。
【請求項１９】
光学素子と、
前記光学素子を保持する請求項１乃至１８のいずれかに記載の保持装置と、
を有することを特徴とする望遠鏡。
【請求項２０】
光学素子と、
前記光学素子を保持する請求項１乃至１８のいずれかに記載の保持装置と、
を有することを特徴とする光学装置。
【発明の詳細な説明】
【技術分野】
【０００１】
本発明は、光学素子を保持する保持装置、当該保持装置を含む望遠鏡、および当該保持装置を含む光学装置に関する。
【背景技術】
【０００２】
従来の望遠鏡の光学素子の保持機構としては、特許文献１に記載されたものがある。特許文献１によれば、光学素子である反射鏡とこれを支持する金属製の鏡筒との間に、金属よりも熱膨張率が高い部材であるところの結晶性プラスチック製の支持体が配置されている。
【０００３】
通常の温度の時に、反射鏡と金属鏡筒との間に、結晶性プラスチックを入れる。高温の際は、反射鏡の直径よりも、熱膨張率が高い材質の鏡筒の直径が大きくなる。この結果、反射鏡の外径と鏡筒の内径とに差が生じ、結果的に隙間が生じてしまう。特許文献１では、この隙間を、鏡筒の熱膨張係数よりも大きな熱膨張係数を有する結晶性プラスチックがふさぐように保持機構を構成している。
【特許文献１】特公平０５−０３６７６６号公報
【発明の開示】
【発明が解決しようとする課題】
【０００４】
特許文献１には、「主反射鏡３の周辺温度が急激に低下し、支持体９が強い力で主反射鏡３の外側面に押しつけられるような状況になっても、支持体９がたわみ変形し易く、主反射鏡３の歪み変形や破損を回避することができる」との記載がある。一般に望遠鏡の光学系は  反射鏡やレンズなどの複数の光学素子で構成されている。これら光学素子は、それぞれの光軸が一直線状に並んでいないと、偏芯収差といわれる収差が生じ、画質（光学性能）が低下するのは常識である。特許文献１では、反射鏡を保持している部材は「変形しやす」いとの記載があり、このことは当該保持部材にレンズの荷重がかかったときには偏芯収差が発生する恐れがあることを示唆している。
【０００５】
特に、地平線近傍の天体を観察する際、望遠鏡の光軸は水平となり、望遠鏡の内部のレンズの重量は、その外周部を介して鏡筒の下部にのしかかる。この下部にある保持部材は、柔らかいプラスチック等の材料であると、変形してレンズを下方向に偏芯させかねない。レンズの重量は、レンズが大口径化すればするほど重くなる。このため、レンズを支持する部分に変形し易い材質を使えば、少なからず変形し、偏芯による光学性能の低下を引き起こしかねない。
【課題を解決するための手段】
【０００６】
上述の課題を考慮してなされた本発明の一側面としての保持装置は、光学素子（１）を保持する保持装置であって、
前記光学素子を収容し、側面に穴（１８）を有する鏡筒（１１）と、
前記鏡筒に一端が固定され、前記鏡筒の軸に直交する方向に前記一端から離れて前記鏡筒の外側に他端を有する第１の部材（２１）と、
前記穴を貫通する第２の部材であって、前記第１の部材の前記他端に一端が固定され、前記第１の部材の前記他端から前記方向に離れて前記鏡筒の内側に他端を有する第２の部材（２２）と、
を有し、
前記第２の部材の前記他端が前記光学素子の側面に接触し且つ温度変化による前記光学素子の側面の変位量と前記第２の部材の前記他端の変位量とが一致するように、前記鏡筒の線膨張係数、前記第１の部材の線膨張係数、前記第２の部材の線膨張係数、前記方向における前記鏡筒の寸法、前記方向における前記第１の部材の寸法、および前記方向における前記第２の部材の寸法が設定されている、
ことを特徴とする保持装置である。
【０００７】
本発明の他の側面は、『特許請求の範囲』や、『発明を実施するための最良の形態』、添付した図面等に記載したとおりである。
【発明の効果】
【０００８】
本発明によれば、光学素子を含む装置の温度変化および姿勢変化に対して安定した光学性能を維持できる保持装置を提供することができる。
【発明を実施するための最良の形態】
【０００９】
（実施形態１）
図１、図２、図３および図４を参照して、本発明の実施形態１を説明する。
【００１０】
図１は、望遠鏡を構成する複数のレンズのうち１枚のレンズが鏡筒に収容されている場合の断面図である。図１において、円形の凹レンズ１は、その外周部において、光軸２と直交する面と平行になるように、上面部４と下面部５とが平面に加工されている。
【００１１】
鏡筒１１は、リング状であり、円形のレンズ１の外周部を囲んでいる。鏡筒１１のレンズ受け部分６は、平面に加工され、第１図の矢印Ｓの方向にスムーズにレンズ１がシフトするのを許容する。鏡筒１１の上部には、ビス１３とナット１２とを介してレンズ押さえリング１４を配置し、さらに、その内側には、先端にレンズ押さえパッド１５をつけたビス１６をリング１４に、ナット１７で押さえ固定している。押さえパッド１５は、凹レンズ１の上面部４を押さえている。押さえパッド１５を介して押さえリング１４がレンズを押さえる力は、図１の鏡筒１１を上下逆にしても鏡筒１１からレンズが落下しないような力としている。ただし、その力は、鏡筒のどの姿勢においても、鏡筒１１の中でレンズが半径方向（矢印Ｓの方向）にシフトすることを制限しない値に設定しておく。
【００１２】
鏡筒１１の円周上（側面）には、等角度間隔で穴１８が８個あけられている。開口側の一端の外径が大きくなったコップ状の部品であるアウター２１（第１の部材ともいう）が鏡筒１１の穴１８の内側からはめ込まれて固定されている。これを光軸方向から見た様子を図４に示す。図４において、アウター２１が鏡筒の周囲に放射状に配置されている。
【００１３】
図１において、アウター２１の外周の太い部分は、鏡筒１１の外周にあけられた穴１８の直径より少し大きく、この部分で鏡筒１１の直径方向においてアウター２１が鏡筒１１の外側に抜けないように位置決めされている。すなわち、アウター２１は、鏡筒１１に一端が固定され、鏡筒１１の軸（光軸）に直交する方向に当該一端から離れて鏡筒１１の外側に他端を有している。
【００１４】
アウター２１にはロッド２２が挿入されており、アウター２１のレンズの光軸から遠い側の他端（底部）にはロッド２２（第２の部材ともいう）の一端が突き当たっている。ロッド２２は、アウター２１の内壁にガイドされ、ロッド２２の他端はレンズ１の外周（側面）に軽い圧力で接触している。すなわち、ロッド２２は、穴１８を貫通し、アウター２１の上記他端に一端が固定され、アウター２１の上記他端から鏡筒１１の軸に直交する方向に離れて鏡筒１１の内側に他端を有している。図１、図２および図３では、レンズの外周部とロッド２２の先端部分との間には隙間がある。しかし、隙間が無くて軽く接触していてもよい。
【００１５】
この構成の詳細をさらに説明する。アウター２１・ロッド２２の材質（線膨張係数）や長さ（寸法）は、レンズ１の材質すなわち線膨張係数や半径（寸法）、アウターを固定する鏡筒の材質（線膨張係数）や半径（寸法）などにより適切に決定すればよく、次の関係式で決定される。
【００１６】
【数１】
2010097069.tif 000003
【００１７】
以下に、構成部材の材料・特性・寸法の例を示す。レンズ１は、株式会社オハラのＢＳＬ７Ｙを使用し、レンズ外周部の半径Ｌｒ（２０℃）は、４００ｍｍ、オハラ社のカタログから線膨張係数αＬは、６．８×１０−６［１／Ｋ］である。
【００１８】
鏡筒は、京セラ株式会社のコージライトとし、鏡筒におけるアウター突き当て部の半径ＢＯｒ（２０℃）は、４２０ｍｍ、京セラ株式会社のカタログから線膨張係数αＢは、０．１×１０−６  ［１／Ｋ］である。
【００１９】
アウターは、亜鉛合金とし、ジンクエクセル株式会社のＷｅｂで公開されているデータから線膨張係数αＯＵは、２８×１０−６［１／Ｋ］である。
【００２０】
ロッドは、新報国製鉄株式会社のスーパーインバーとし、新報国製鉄株式会社のカタログから線膨張係数αＬＯは、１．０×１０−６［１／Ｋ］である。
【００２１】
ロッドの長さＬＯは、アウターの長さＯＵ、レンズ半径Ｌｒ、および鏡筒突き当て部の半径Ｂｒから次の関係式で決定される。
【００２２】
【数２】
2010097069.tif 000004
【００２３】
式１および式２からアウターの長さは次式で表される。
【００２４】
【数３】
2010097069.tif 000005
【００２５】
上記物性値と寸法のとき、
ＯＵ（計算値）＝９９．５９２６ｍｍ
となり、アウターの加工寸法は、
ＯＵ＝９９．６０００ｍｍ
とする。
【００２６】
また、ロッドの長さは、式２から、
ＬＯ（計算値）＝１０９．５９２６ｍｍ
となり、ロッド加工寸法は、
ＬＯ＝１０９．６０００ｍｍ
とする。
【００２７】
以上の構成で、ユニットが置かれている環境の温度が（Ａ）２０℃から３０℃まで１０℃上昇した場合と、（Ｂ）２０℃から１０℃まで１０℃低下した場合の挙動を図２および図３を参照して説明する。
【００２８】
〈（Ａ）２０℃から３０℃への１０℃の温度上昇の場合〉
図２において、レンズの半径Ｌｒ（３０℃）は、
Ｌｒ（３０℃）＝Ｌｒ（２０℃）×（１＋（αＬ×１０℃））
＝４００×（１＋（６．８×１０−６×１０））
＝４００．０２７２ｍｍ−−−−（Ａ）
となる。
【００２９】
次に、レンズの外周部に接触しているロッドの先端の位置の半径に相当する量Ｂｒ（３０℃）は、鏡筒、アウターおよびロッドの寸法から、
Ｂｒ（３０℃）＝ＢＯｒ（３０℃）＋ＯＵ（３０℃）−ＬＯ（３０℃）
と表される。
【００３０】
まず、鏡筒のアウターが接触している部分の半径ＢＯｒ（３０℃）は、
ＢＯｒ（３０℃）＝ＢＯｒ（２０℃）×（１＋（αＢ×１０℃））
＝４１０×（１＋（０．１×１０−６×１０））
＝４１０．０００５ｍｍ
となる。
【００３１】
アウターの鏡筒に固定している部分から、光軸より遠い側のロッドの先端が突き当たっている底の部分までの寸法ＯＵ（３０℃）は、
ＯＵ（３０℃）＝ＯＵ（２０℃）×（１＋（αＯＵ×１０℃））
＝９９．６０００×（１＋（２８×１０−６×１０））
＝９９．６２７９ｍｍ
となる。
【００３２】
ロッド２２の長さＬＯ（３０℃）は、
ＬＯ（３０℃）＝ＬＯ（２０℃）×（１＋（αＬＯ×１０℃））
＝１０９．６０００×（１＋（１．０×１０−６×１０））
＝１０９．６０１１ｍｍ
となる。
【００３３】
これより、レンズの外周に接触しているロッドの先端部分の半径相当の寸法Ｂｒ（３０℃）は、
Ｂｒ（３０℃）＝ＢＯｒ（３０℃）＋ＯＵ（３０℃）−ＬＯ（３０℃）
＝４１０．０００５＋９９．６２７９−１０９．６０１１
＝４００．０２７３ｍｍ−−−−（Ｂ）
となる。
【００３４】
したがって、１０℃の温度上昇によるレンズの半径（Ａ）とロッド先端の半径（Ｂ）との間の膨張誤差は０．０００１ｍｍとなる。この膨張誤差はレンズの膨張量に対して１／２００程度であり、この膨張誤差の分レンズが偏心しても光学性能に与える影響は十分に小さい。また、レンズに対してロッド先端が０．０００１ｍｍだけ外に膨張していることから、温度上昇によってもレンズを締め付けることがないためレンズに応力が生じない。
【００３５】
式３・式２によるアウターの寸法ＯＵ（計算値）およびロッドの寸法ＬＯ（計算値）を用いて膨張誤差を計算すると、０になる。膨張誤差は、アウターおよびロッドの寸法（計算値）を「加工寸法」へとまるめることによって生じる数値誤差である。つまり、上記設計手順に従い、式１によって求められた各部品の材質や寸法から、アウターやロッドの加工寸法を微調整することで、膨張誤差は自由に設定することができる。この場合、別の部品の寸法を微調整したり、各部品の線膨張係数を調整したりすることによっても同様に膨張誤差を設定できることは明らかである。膨張誤差は、部品の加工誤差や線膨張係数の誤差などを吸収できるように、かつ光学性能に影響がでない程度に設けることが望ましい。すなわち、膨張誤差は微小量に抑え、温度変化（膨張・収縮）による光学素子の側面の変位量とロッド（第２の部材）の先端（上記他端）の変位量とを一致させるようにする。ここで、「一致」とは、要求される光学性能に影響がでない範囲内の差を許容して実質的に等しいことをいう。
【００３６】
次に、アウターとロッドとは、観察する天体が地平線近くにある場合、レンズの重量がかかり変形する。その変形量を計算により以下に求める。
【００３７】
本実施形態の各部材の寸法や物性値は、以下のとおりである。レンズは、直径がφ８００ｍｍ、肉厚が約６０ｍｍ、重量が約８０ｋｇである。ロッドは、直径がφ１６ｍｍ、材質がスーパーインバー、ヤング率が１１４．７ＧＰａである。アウター（ここでは円筒）は、外径がφ４０ｍｍ、内径がφ２０ｍｍ、材質が亜鉛合金、ヤング率が９１ＧＰａである。鏡筒が水平状態で重力方向下方の２組のアウター・ロッドがレンズを支える場合、アウター・ロッドはレンズ重量によって約０．００２ｍｍ変形する。しかし、この変形量はレンズの温度変形に対して十分に小さく、光学性能への影響は許容できるレベルである。
【００３８】
一方、特許文献１記載の材質はジュラコンで、そのヤング率はポリプラスチックス株式会社のカタログから７．９ＧＰａである。このジュラコンでロッドを製作すると、レンズ重量によってアウター・ロッドは約０．０２８ｍｍ変形する。この変形量はレンズの膨張量に近く、本実施形態の保持機構を設ける意味が無くなる。また、ジュラコンを用いて、本実施形態のアウター・ロッドの変形量（約０．００２ｍｍ）と同等の変形量を達成するためには、φ６４ｍｍ以上のロッド径が必要になり、このロッド径はレンズの肉厚よりも大きくなってしまう。このため、レンズの間隔を大きく取る必要性があり、これは望遠鏡等の光学装置の大型化につながり、好ましくない。よって、ヤング率の低いジュラコンは、本実施形態に適用することが現実的でないことは明らかである。
【００３９】
材料の線膨張係数が温度によって変動する温度依存性を示す場合がある。この場合、材料の線膨張係数の変動を定式化し、式１の線膨張係数に代入すればよい。このため、寸法をある値に決定したロッドとアウターとは、温度の上昇・下降の一方においてレンズとの間に隙間ができ、上昇・下降の他方においてレンズを締め付ける可能性がある。そこで、温度依存性を示す材料を用いる場合、ロッド・アウターの寸法は、使用する環境の平均温度と温度変化幅とを考慮して、上記の隙間とレンズの締め付けとによる光学性能の変動が少なくなるように設定することが望ましい。
【００４０】
〈（Ｂ）２０℃から１０℃への１０℃の温度低下の場合〉
望遠鏡の置かれている環境の温度が低下した場合の挙動を図３を参照して説明する。
【００４１】
２０℃から１０℃まで１０℃の温度低下が生じた場合のレンズの半径Ｌｒ（１０℃）は、
Ｌｒ（１０℃）＝Ｌｒ（２０℃）×（１＋（αＬ×−１０℃））
＝４００×（１＋（６．８×１０−６×−１０））
＝３９９．９７２８ｍｍ−−−−−−−（Ｃ）
となる。
【００４２】
鏡筒のアウターが接触している部分の半径ＢＯｒ（１０℃）は、
ＢＯｒ（１０℃）＝ＢＯｒ（２０℃）×（１＋（αＢ×−１０℃））
＝４１０×（１＋（０．１×１０−６×−１０））
＝４０９．９９９６ｍｍ
となる。
【００４３】
アウターの鏡筒に固定している部分から、光軸より遠い側のロッドの先端が突き当たっている底の部分までの寸法ＯＵ（１０℃）は、
ＯＵ（１０℃）＝ＯＵ（２０℃）×（１＋（αＯＵ×−１０℃））
＝９９．６０００×（１＋（２８×１０−６×−１０））
＝９９．５７２２ｍｍ
となる。
【００４４】
ロッド２２の長さＬＯ（１０℃）は、
ＬＯ（１０℃）＝ＬＯ（２０℃）×（１＋（αＬＯ×−１０℃））
＝１０９．６０００×（１＋（１．０×１０−６×−１０））
＝１０９．５９９０ｍｍ
となる。
【００４５】
これより、レンズの外周に接触しているロッドの先端部分の半径相当の寸法Ｂｒ（１０℃）は、
Ｂｒ（１０℃）＝ＢＯｒ（１０℃）＋ＯＵ（１０℃）−ＬＯ（１０℃）
＝４０９．９９９６＋９９．５７２２−１０９．５９９０
＝３９９．９７２８ｍｍ−−−−−−（Ｄ）
となる。
【００４６】
１０℃の温度低下よるレンズの半径（Ｃ）とロッド先端の半径（Ｄ）との間の収縮誤差は、ほぼ０ｍｍとなり、レンズ偏心やレンズの応力は十分に小さく、光学性能への影響は無視できるレベルとなり、高画質が維持できる。
【００４７】
（実施形態２）
図５・図６を参照して実施形態２を説明する。実施形態１で参照した図の符号と同様または類似の符号は、同様または類似の部材を表し、説明を適宜省略する。レンズ１ｂを押さえる部品の構成は、図１と同様のため、図から省略した。
【００４８】
本実施形態において、レンズ１ｂは線膨張係数が低い材質で、鏡筒は線膨張率が高い金属等の材質で構成されている。この構成では、アウターには、線膨張係数が低い材質を使い、ロッドには、線膨張係数の高い材質を使う。
【００４９】
この構成においても、式１の関係が成立し、アウターとロッドとの材質や長さは、レンズ１ｂの材質すなわち線膨張係数や半径、アウターを固定する鏡筒の材質などに応じて適切に決定すればよい。以下に、構成部材の材料・特性・寸法の例を示す。
【００５０】
レンズ１ｂは、コーニングジャパン株式会社の合成石英材料ＨＰＦＳ  Ｆｕｓｅｄ  Ｓｉｌｉｃａを使用し、その線膨張係数αＬは、コーニングジャパン株式会社のカタログより、０．５×１０−６［１／Ｋ］である。レンズの半径Ｌｒ（２０℃）は、４００ｍｍとする。
【００５１】
鏡筒１１ｂは、炭素鋼を使用し、その線膨張係数αＢは、理科年表２０００年版より、１０．７×１０−６［１／Ｋ］である。そして、鏡筒におけるアウター突き当て部の半径ＢＯｒ（２０℃）は、４１０ｍｍとする。
【００５２】
アウター２１ｂの材質は、新報国製鉄株式会社のスーパーインバーとし、その線膨張係数αＯＵは、新報国製鉄株式会社のカタログから、１．０×１０−６［１／Ｋ］である。
【００５３】
ロッドの材質は亜鉛合金とし、その線膨張係数αＬＯは、ジンクエクセル株式会社のＷｅｂで公開されているデータから、２８×１０−６［１／Ｋ］である。
【００５４】
実施形態１と同様に、アウターの長さＯＵは、式３の関係より、レンズ半径Ｌｒおよび鏡筒突き当て部の半径ＢＯｒから決定される。すなわち、ＯＵ（計算値）＝１４４．７０３７ｍｍ
となり、アウターの加工寸法は、
ＯＵ＝１４４．８０００ｍｍ
とする。
【００５５】
また、同様にロッドの長さも、式２の関係より、
ＬＯ（計算値）＝１５４．７０３７ｍｍ
となり、ロッドの加工寸法は、
ＬＯ＝１５４．８０００ｍｍ
とする。
【００５６】
このユニット構成で、ユニットがおかれている環境の温度が（Ａ）２０℃から３０℃まで１０℃の温度上昇が生じた場合と、（Ｂ）２０℃から１０℃まで１０℃の温度低下が生じた場合の挙動説明する。
【００５７】
〈（Ａ）２０℃から３０℃への１０℃の温度上昇の場合〉
レンズの半径Ｌｒ（３０℃）は、
Ｌｒ（３０℃）＝Ｌｒ（２０℃）×（１＋（αＬ×１０℃））
＝４００×（１＋（０．５×１０−６×１０））
＝４００．００２０ｍｍ−−−−−−−（Ｅ）
となる。
【００５８】
次に、レンズの外周部に接触しているロッドの先端の位置の半径に相当する量Ｂｒ（３０℃）は、鏡筒、アウターおよびロッドの寸法から、
Ｂｒ（３０℃）＝ＢＯｒ（３０℃）＋ＯＵ（３０℃）−ＬＯ（３０℃）
と表される。
【００５９】
まず、鏡筒のアウターが接触している部分の半径ＢＯｒ（３０℃）は、
ＢＯｒ（３０℃）＝Ｂｒ（２０℃）×（１＋（αＢ×１０℃））
＝４１０×（１＋（１０．７×１０−６×１０））
＝４１０．０４３９ｍｍ
となる。
【００６０】
アウターの鏡筒に固定している部分から、光軸より遠い側のロッドの先端が突き当たっている底の部分までの寸法ＯＵ（３０℃）は、
ＯＵ（３０℃）＝ＯＵ（２０℃）×（１＋（αＯＵ×１０℃））
＝１４４．８０００×（１＋（１．０×１０−６×１０））
＝１４４．８０１５ｍｍ
となる。
【００６１】
ロッド２２の長さＬＯ（３０℃）は、
ＬＯ（３０℃）＝ＬＯ（２０℃）×（１＋（αＬＯ×１０℃））
＝１５４．８０００×（１＋（２８．０×１０−６×１０））
＝１５４．８４３４ｍｍ
となる。
【００６２】
これより、レンズの外周に接触しているロッドの先端部分の半径相当の寸法Ｂｒ（３０℃）は、次のようになる。
Ｂｒ（３０℃）＝ＢＯｒ（３０℃）＋ＯＵ（３０℃）−ＬＯ（３０℃）
＝４１０．０４３９＋１４４．８０１５−１５４．８４３４
＝４００．００２０ｍｍ−−−−−−（Ｆ）
１０℃の温度上昇よるレンズの半径（Ｅ）とロッド先端の半径（Ｆ）との膨張誤差はほぼ０ｍｍとなり、レンズ偏心やレンズの応力は十分に小さく、光学性能への影響は無視できるレベルである。
【００６３】
〈（Ｂ）２０℃から１０℃への１０℃の温度低下の場合〉
望遠鏡の置かれている環境の温度が低下した場合の挙動を説明する。
【００６４】
２０℃から１０℃まで１０℃の温度低下が生じた場合のレンズの半径Ｌｒ（０℃）は、
Ｌｒ（１０℃）＝Ｌｒ（２０℃）×（１＋（αＬ×−１０℃））
＝４００×（１＋（０．５×１０−６×  １０））
＝３９９．９９８０ｍｍ−−−−−−−−（Ｇ）
となる。
【００６５】
鏡筒のアウターが接触している部分の半径Ｂｒ（１０℃）は、
Ｂｒ（１０℃）＝Ｂｒ（２０℃）×（１＋（αＢ×−１０℃））
＝４１０×（１＋（１０．７×１０−６×−１０））
＝４０９．９５６２ｍｍ
となる。
【００６６】
アウターの鏡筒に固定している部分から、光軸より遠い側のロッドの先端が突き当たっている底の部分までの寸法ＯＵ（１０℃）は、
ＯＵ（１０℃）＝ＯＵ（２０℃）×（１＋（αＯＵ×−１０℃））
＝１４４．８０００×（１＋（１．０×１０−６×−１０））
＝１４４．７９８６ｍｍ
となる。
【００６７】
ロッド２２の長さＬＯ（１０℃）は、
ＬＯ（１０℃）＝ＬＯ（２０℃）×（１＋（αＬＯ×−１０℃））
＝１５４．８０００×（１＋（２８．０×１０−６×−１０））
＝１５４．７５６７ｍｍ
となる。
【００６８】
これより、レンズの外周に接触しているロッドの先端部分の半径相当の寸法Ｂｒ（１０℃）は、次のようになる。
Ｂｒ（１０℃）＝ＢＯｒ（１０℃）＋ＯＵ（１０℃）−ＬＯ（１０℃）
＝４０９．９５６２＋１４４．７９８６−１５４．７５６７
＝３９９．９９８１ｍｍ−−−−−−−−（Ｈ）
１０℃の温度低下よるレンズの半径（Ｇ）とロッド先端の半径（Ｈ）との収縮誤差は０．０００１ｍｍとなり、光学性能に与える影響は十分に小さい。また、レンズに対してロッド先端の収縮量が０．０００１ｍｍだけ少なく、温度下降によってもレンズを締め付けることがないためレンズに応力が生じない。
【００６９】
（実施形態３）
図８乃至図１１を参照して実施形態３を説明する。
【００７０】
図８のレンズ１０１は、図７のように外周の一部に平面部Ｆが形成されている。図７の（ａ）（ｂ）ともに、１０１はレンズで、（ａ）は、レンズを正面から見た図で、外周部のＦの部分が平面に加工されている。（ｂ）は、レンズを側方から見た図で、Ｆ部が平面に加工された外周部である。平面部（Ｆ部）は、光学素子の側面に複数配置し、図７の例では、１５度ピッチで１２個配置した。
【００７１】
図８において、鏡筒１１１の外周部の一部には平面に加工したフランジ部分１１１ａを配置している。ここに、アウターパッド１２０・パッドガイド１１３を介してアウター１２１を固定する。アウター１２１を鏡筒１１１へ固定するネジ１２１Ｃは、４箇所あり、アウター１２１は外周部にすり割１２１ａ、１２１ｂを有している。アウター１２１のレンズの光軸より遠い側の先にはリング状のスペーサー１２３を介してキャップ１２４（蓋部材ともいう）を配置している。
【００７２】
キャップ１２４は、ロッド１２２をビス１２２ａで中央に固定している。ロッド１２２のレンズに近い端面は、スペーサー１２３、アウター１２１、アウターパッド１２０、鏡筒１１１、パッドガイド１１３を介して、パッド１１２の光軸と反対側の面に突き当てる。その後、キャップ１２４は、その穴と１２３の穴とを経由してビス１２４ａを締めこんで、アウター１２１に固定する。なお、当該固定のための固定部材は、ビスに限定されるものではなく、キャップを着脱自在とする他の周知の固定部材で置換可能である。
【００７３】
ロッド１２２先端は、凸の球面形状をなしており、パッドガイド１１３の中央の穴を貫通し、パッド１１２を押している。パッド１１２（第３の部材ともいう）は、レンズ１０１の外周部の平面部Ｆに当接している。
【００７４】
こうすることで、レンズ１０１の線膨張係数を鏡筒１１１のそれより小さく構成し、線膨張係数の高い材質でアウター１２１を構成し、線膨張係数の小さい材質でロッド１２２を構成する。この構成のレンズユニットがおかれている環境の温度が変化すると、線膨張係数が高い材質で構成されているアウター１２１の取り付け部が変形しようとするが、この変形の応力はすり割を設けているために強い力とならず緩和される。また、鏡筒１１１の固定部１１１ａとアウター１２１との間には、アウターパッド１２０を設けた。このアウターパッド１２０は、線膨張係数の低い剛性の高い材質（例えばスーパーインバー材など）を使用している。このため、アウター１２１で発生した温度変化による寸法変化の応力は、このアウターパッド１２０でくい止められ、鏡筒１１１には伝わらない。よって、アウターの変形しようとする応力が鏡筒に伝わらないため、レンズを保持する位置が変化せず、高画質を維持することができる。
【００７５】
また、レンズの外周部に当接するパッド１１２は、当接面積が広いため、レンズを押さえる荷重が緩和され、レンズの一部分にかかる応力が減り変形も低減することができる。
【００７６】
また、レンズを支持しているこれらの部材の固定をレンズの径方向に締め付けるビスで行っているために、レンズの鏡筒への組み込み後にレンズを光軸周りに回転して調整することが可能となる。例えば、ネジ１２４ａを外せば、レンズを中心に向かって支持しているロッド１２２が外せ、鏡筒の内径とレンズの外径との差を十分に取っていれば、レンズは回転できる。
【００７７】
ロッドの先端部分を図９に示す。図９において、レンズ１０１の一部が示され、Ｆはその外周部である。レンズ１０１は、平面部分を追加工で作成する場合、わずかな誤差で、平面部がレンズの光軸と平行でなく製作される場合がある。平行でなく製作された平面部Ｆでは、この傾斜したレンズの平面部分Ｆに沿ってパッドが傾斜する。ロッド１２２先端部分が球面ではなく平面で構成されている場合、ロッド１２２の外周部の稜線の近くだけに荷重がかかり、高い応力が生じる。ヤング率が高い材質を使っているとはいえ、ロッド１２２の先端の稜線部分が変形したり破損したりする恐れがある。ロッド１２２の先端部が球面で構成される場合、パッド１１２に接触するロッド１２２の球面部分は、傾斜したロッド１２２の先端が平面の場合に比べて広くできる。よって、接触部の応力を減らすことができる。これより、接触部での荷重による破損が生じにくい。
【００７８】
図１０・図１１を参照してスペーサー１２３を説明する。図１０・図１１は、図８の構成の断面図を示す。スペーサー１２３の厚みを選定することで、レンズ１０１の半径に対して、ロッド１２２のレンズの光軸に近い側の先端部分を適切な位置に配置することができる。図１０の（ｂ）に、スペーサー１２３Ｍを示している。この厚みＤ１のスペーサー１２３Ｍを組み込んだ様子が図１０の（ａ）である。図１１の（ｂ）は、厚みＤ２（＞Ｄ１）のスペーサー１２３Ｎを示し、このスペーサーをアウターに組み込んだ様子が図１１の（ａ）である。図１１は、図１０に比べてスペーサー１２３の厚みを厚くしたもので、直径が大きいレンズに対応できる。スペーサーの交換は、アウター端部の着脱自在のキャップ１２４を外して行う。
【００７９】
この構成を使って、レンズの平行偏芯調整も可能となる。各アウター１２１の先に固定しているスペーサー１２３の厚みを選択すれば、鏡筒の位置（軸）に対してレンズの中心位置を調節することができる。
【００８０】
（実施形態４）
図１２を参照して実施形態４を説明する。
【００８１】
鏡筒１０１０の外周部には、ロッド１２５二本が平行に貫通する穴が近接して配置されている。パッド１１２、ロッド１２５  スペーサー１２６、およびキャップ１２７は、それぞれ２つずつあって前述した図８の部材と同様のものであるが、アウター１２８は、ロッド１２５二本を保持できる構成としている。このパッド１１２、ロッド１２５、スペーサー１２６、キャップ１２７、およびアウター１２８で構成されるアウターセット１５０の配置を図１３に示す。
【００８２】
図１３の下部の矢印は、水平線近くの天体を観察しているときに望遠鏡にかかる重力の方向を示す。この重力方向に垂直な方向に、アウターセット１５０を対向して（この図では左右に）配置し、レンズ１０１を左右から挟み込むことで、レンズの回転を抑制する。ここで、図７で示した外周の一部を平面にしたレンズと組み合わせることにより、鏡筒の中でのレンズの回転を抑制することが可能となる。
【００８３】
なお、レンズ１０１の回転を抑制する目的を以下に説明する。光軸に関して対称な形状のレンズは、厳密には、いくらかの製造誤差を持つ。望遠鏡の性能をより高く望めば、その製造誤差は小さくしなくてはいけない。しかし、製造誤差を小さくするのには限界がある。このため、他の光学素子の製造誤差も考慮して、光学系全体として高性能になるように、レンズをその光軸を軸として回転させて調整し固定する場合がある。この調整後は、レンズが回転すると、わずかながらも性能が低下するため、これを防ぐことが好ましい。望遠鏡の姿勢変更などで生じる振動等でレンズに回転力が作用した場合、レンズ外周部の平面部Ｆの角度が変化しうる。この場合、図１２の一方のロッド先端のパッドが平面部Ｆに突き当たり荷重を与えるために、レンズの回転を抑制することができる。これにより、長期にわたって高性能が維持できる。
【００８４】
（実施形態５）
図１４を参照して実施形態５を説明する。
【００８５】
前述したアウター１２１およびロッド１２２を含んで構成されたユニットを「アウターセット１００」と呼ぶ。図１４の下部の矢印は、重力方向を示す。アウターセット１００を鏡筒１１１の下部真中には配置せず、鏡筒の外周に沿って左右対称に配置する。すなわち、重力の方向に対して傾けた鏡筒の軸の方向と重力の方向とを含む平面に関して、アウターセット（第１の部材と第２の部材との組）が対称に複数配置されている。そして、当該平面上には、アウターセットが配置されていない。
【００８６】
このようにすれば、アウターセットを上記真中に配置したときに比べてレンズに生じる応力を減らせる。また、アウターセットは、重力のかからない上部は少なく配置する。このようなアウターセットの不等角度間隔の配置により、光学系を軽量化できる。
（実施形態６）
図１５・図１６を参照して、実施形態６を説明する。
【００８７】
図１５は、アウター１３１の内部にスプリング（弾性部材）１３３を配置している。このスプリング１３３は押されると収縮するが、このとき押し返すように伸びようとする。このスプリング１３３により、アウター１３１の中でショートロッド１３２を押圧する構成としている。このアウター１３１・スプリング１３３・ショートロッド１３２で構成されたユニットをスプリングセット２００と呼ぶことにする。このスプリングセット２００を図１６のように配置する。
【００８８】
図１６において、重力のかかる頻度が高い鏡筒の下部には、図１４で説明したアウターセット１００を配置する。一方、上部の対向位置には、図１５で説明したスプリングセット２００を配置する。
【００８９】
本実施形態の効果を説明する。例えば、設置のため、望遠鏡またはその一部の光学系を輸送する際、振動により、ロッドやアウターを介して、鏡筒からレンズに力が加わる。この結果、レンズが破損してしまう恐れがある。本実施形態のスプリングセット２００は、この恐れを減らす効果が有る。
【００９０】
なお、このスプリングセット２００があっても、輸送後に架台に設置された望遠鏡は、鏡筒の下部に配置されたアウターセット１００にレンズが当接し、レンズは鏡筒の中心に配置されるため、レンズの偏芯は生じず、高画質を実現できる。
【００９１】
（実施形態７）
図１７を参照して、実施形態７を説明する。
【００９２】
本実施形態は、下面が平面の平凸レンズを鏡筒に組み込んだ例である。レンズ上面の外周近傍部は、凸面受けリング４１を介して、レンズ押さえパッド１５に押圧される。
【００９３】
（実施形態８）
図１８を参照して、実施形態８を説明する。
【００９４】
本実施形態は、下面が凸面の平凸レンズを鏡筒に組み込んだ例である。レンズ下面の凸面部と鏡筒１１との間に凸面受けリング５１を配置している。
【００９５】
（実施形態９）
図１９を参照して、実施形態９を説明する。
【００９６】
本実施形態は、上下の面が凸面の両凸レンズを鏡筒に組み込んだ例である。レンズ上面の凸面部には、実施形態７で使用した凸面受けリング４１を配置し、下面の凸面部には、実施形態７で使用した凸面受けリング５１を配置している。
【００９７】
なお、上面および下面が平面である平板形状の光学素子も組み込むことが可能である。この場合は、平板の光学素子とパッドまたは鏡筒との間には、何も配置しなくてもよい。
【００９８】
平板ガラスやレンズと鏡筒との間や、レンズとレンズ押さえパッドとの間の摩擦力が高く、図の下部の矢印Ｓの方向に動かすのに大きな力が必要な場合がある。この場合は、凸面受けリング４１や凸面受けリング５１の表面に摩擦力を低減させるテフロン（登録商標）コート等の処理をすることで、摩擦力を低減させ、レンズや鏡筒の温度変化による直径方向の膨張収縮をスムーズに行わせることができる。光学素子と鏡筒やレンズ押さえパッドとの間での摩擦係数が高い場合で、スムーズな膨張収縮ができない恐れが有る場合も、光学素子や鏡筒、レンズ押さえパッドの摺動部にテフロン（登録商標）コート等の摩擦係数低減処理を施せば同様の効果が得られる。
【００９９】
（実施形態１０）
図２０を参照して、実施形態１０を説明する。
【０１００】
本実施形態では、図１０または図１４で示したアウターセット１００の外周部に断熱部材を配置している。断熱部材は、固体の中に気体の小胞を多量に持つ物でよく、例えば、ポリスチレンフォームなどの発泡樹脂等は、軽量かつ安価で好ましい。
【０１０１】
望遠鏡は外気温度の影響を受けるが、その温度は建屋のドームの開閉や外気の風速により大きく影響を受ける。温度変化は、望遠鏡の外側から徐々に内側へ進行する。建屋の中で望遠鏡の温度が全体として２０℃になっている状態から、建屋のドームが開いて、例えば、１０℃の外気に触れた場合、望遠鏡は急速に１０℃に向かって冷却される。
【０１０２】
図２２は、この様子を示すグラフである。グラフの縦軸は温度、横軸は時間経過である。アウターセットの温度をＡで示し、鏡筒内部のレンズの温度をＣで示している。レンズは、約１８０分程度で環境温度と同じ温度になり、また、アウターセットは、約６０分で環境温度と同じ温度になる。レンズとアウターセットとの温度差は、約５０分のときに７．５ｄｅｇとなる。
【０１０３】
実施形態１のように、レンズ１０１およびアウター１２１の線膨張率が高く、鏡筒１１１およびロッド１２２の線膨張率が低い場合、望遠鏡の外側にあるアウターセット１００が望遠鏡の内側にあるレンズよりも早く低温となり短くなる。これによりロッド先端の半径Ｂｒがレンズの半径Ｌｒよりも小さくなると、ロッド先端部分がレンズ外周部分を押すこととなる。これにより、レンズに応力が生じ、レンズの面形状が変化して性能が低下することが考えられる。
【０１０４】
レンズとアウターとの温度差を減らすために断熱材を配置した場合のアウターセットの温度をＢで示す。この場合、経過時間が９０分の時に最大温度差３．５ｄｅｇとなる。このように温度差を減らすことができるため、アウターセットのロッドの先端部がレンズの外周部を押し付ける力を緩和することができる。
【０１０５】
時間が経過すると、レンズ１０１の温度とアウターセット１００の温度とが外気と同じ温度になって、継続的に高画質（光学的性能）を維持することができる。
【０１０６】
レンズユニットが２０℃の環境からより高温の環境にさらされた場合も、レンズとアウターセットとの間の温度差を低減する断熱材の効果により、継続的に高画質を維持できる。
【０１０７】
（実施形態１１）
図２１を参照して実施形態１１を説明する。
【０１０８】
本実施形態は、実施形態１０と同様に外気の温度変化の影響を受けにくくした実施形態であり、アウターの周囲にヒーター（加熱器）を配置している。ヒーターは、ニクロム線などのヒーター線に難燃性の被覆を施して布状にしたもので、アウターセット１００の外周に巻き付けている。ヒーター線の両端から電圧をかければヒーターの温度は上昇し、アウターセットに熱が伝わり、アウターセットの温度が高められる。その結果、アウターセットとレンズとの間の温度差を低減でき、まだ冷えていないレンズの外周部をロッド先端が押し付けないようにすることができる。
【０１０９】
このアウターセットの近傍とレンズの近傍とに温度センサー（例えば熱電対）を配置し、レンズの温度とアウターの温度とが一致するようにヒーターに流れる電流を制御するのが好ましい。これにより、実施形態１０の構成の場合と比較して、より大きな温度変化に対しても性能の変化を抑制できる。この効果を図２２に示す。Ｄが本実施形態でのアウターセットの温度を示している。温度変化が遅いレンズよりもさらに遅く冷えるように制御することもできる。よって、望遠鏡の外気の温度が急激に低下しても、アウターセットの急冷により生じるレンズへの押し付け力を小さくできる。すなわち、外気の温度変化に対して高画質を維持するうえでさらに好ましい。
【０１１０】
（実施形態１２）
図２３を参照して、実施形態１２を説明する。この図は、大型の反射型望遠鏡の例である。
【０１１１】
６６は、望遠鏡を支持し、観察する方向に望遠鏡の向きを変更する機能を持つ架台である。この架台は、ジョイント６５を介して、筐体６４を保持している。筐体６４の底には放物面鏡６７が配置されている。筐体６４の右上には、フレーム６３に固定されたカメラユニット鏡筒６２が配置されている。
【０１１２】
この図の右上の天体から筐体６４に入射した光束は、フレーム６３の横を抜けて主反射鏡６７で反射される。放物面鏡である主反射鏡６７で反射した光束は、放物面鏡の焦点に向かい、この焦点近傍には、固体撮像素子６９に高画質で結像するためのカメラユニットが配置されている。
【０１１３】
このカメラユニットにはレンズ系６１が配置されており、このレンズ系は、例えば、特開平６−２３０２７４号公報に開示されている収差補正系である。本発明の光学素子保持装置は、このような収差補正系の保持に用いても、先の実施形態で説明したような効果を発揮する。
【０１１４】
また、アウターセット１００と同様な機能を有するアウターセット６８を、主鏡６７を支持する筐体６４に配置している。この場合も、先の実施形態で説明したような効果を発揮するのはいうまでもない。
【０１１５】
（実施形態１３）
図２４・図２５を参照して、実施形態１３を説明する。
【０１１６】
７１は、テレビカメラ用ズームレンズである。このズームレンズは、特開２００１−１８３５８４  号公報に記載されているように、競技場などの屋外で使用される場合がある。夏の屋外では日光の照射により４０℃以上の気温となる場合があり、また、冬の屋外では０℃以下の気温となる場合もある。また、特開２００１−１８３５８４号公報で説明されているレンズの仕様として、焦点距離が６６０ｍｍで、Ｆｎｏが３．３との記載がある。これより、瞳の直径は、２００ｍｍであり、一般の写真用カメラレンズの直径と比べてかなり大きい。
【０１１７】
図２４は、このようなズームレンズが組み込まれたレンズユニットの外観図である。図２４の矢印Ｆの方向から見たところのレンズ７１の支持部分を図２５に示す。７９はカバーで、７２は鏡筒で、７１はレンズである。レンズが外れないようにしている押え環は、実際の商品では構成されるが、この図では説明しやすくするために不図示とした。
【０１１８】
レンズ７１の下部には、図８で説明したものと同様の構成・機能を持つアウターセット７６が２個配置され、レンズを支持している。一方、レンズ７１の上部には、図１５で説明したものと同様の構成・機能を有するスプリングセット７５が配置され、レンズを上から保持している。アウターセット７６とスプリングセット７５とは、円筒の鏡筒７２に支持され、四角筒状のカバー７１の対角線に概略沿って配置されている。このようにテレビカメラ用のズームレンズに本発明を適用した場合でも、図１６を参照して説明したように、温度変化に対してレンズの偏芯を発生させず、高画質（高い光学的性能）を維持できる効果が有る。
【０１１９】
以上では、レンズや曲面ミラーに本発明を適用した例を説明したが、他の光学素子、例えば、フィルターや平面ミラー等の光学素子に適用してもよく、同様の効果を発揮させることができる。また、大口径の写真用超望遠レンズの光学素子など、他の大型の光学素子の保持に適用しても同様の効果を発揮できることはいうまでもない。また、保持する光学素子の形状も、光軸に関して回転対称の形状に限定されるものではない。
【０１２０】
以下に設計例を示す。
１．レンズと鏡筒との線膨張係数の差で生じる半径方向の寸法変化の差を吸収するため、鏡筒に固定したコップ状のアウター部品と、棒状のロッドとを用いる。このアウターの底とレンズの外周とに接触するようにロッドを配置する。このアウター・ロッドそれぞれの材質（線膨張係数）と長さとを最適化する。
２．レンズよりも膨張係数が低く軽いセラミック材を鏡筒に使う場合は、アウターに線膨張係数の高い材質を使い、ロッドに線膨張係数が低い材質を使う。
３．レンズよりも線膨張係数が高い金属材料を鏡筒に使う場合は、アウターに線膨張係数の低い材料を使い、ロッドに線膨張係数の高い材料を使う。
４．鏡筒・アウター・ロッドには、ヤング率が３０ＧＰａ以上の材料（金属やセラミック材など）を使う。
【０１２１】
上記の設計例によれば、次の効果がある。
１．レンズ・鏡筒の材質の線膨張係数の違いで生じる隙間や応力の変化を低減でき、良好な光学性能を維持できる。
２．鏡筒にセラミック、例えばコージライト（ヤング率：１４０［ＧＰａ］、比重２．６［ｇ／ｃｍ３］）を使用した場合、チタン材（ヤング率：１０７［ＧＰａ］、比重４．５［ｇ／ｃｍ３］）を使用した場合と比較して、鏡筒は約５０％軽量化できる。鏡筒の径が大きいほど、その重量の差は大きくなる。
３．レンズを保持する部品は、プラスチック材などの柔らかい（ヤング率の低い）材料を使用しないため、レンズの荷重による変形が少なく、光学素子の偏芯を低減でき、良好な光学性能を維持できる。
【０１２２】
なお、上記設計例３の場合、鏡筒にアルミニウム等の安価な材料を用いることができる。
【産業上の利用可能性】
【０１２３】
本発明は、光学素子を含む光学装置に利用でき、大型の光学素子を含む光学装置に特に好適に利用可能である。
【図面の簡単な説明】
【０１２４】
【図１】実施形態１の説明図
【図２】温度が上昇した場合の効果の説明図
【図３】温度が下降した場合の効果の説明図
【図４】図１の構成を光軸方向から見た図
【図５】実施形態２の説明図
【図６】温度が下降した場合の効果の説明図
【図７】実施形態３において、レンズ外周の平面部を示す図
【図８】実施形態３の説明図
【図９】ロッド先端部の形状の効果の説明図
【図１０】実施形態３の説明図
【図１１】実施形態３の説明図
【図１２】実施形態４の説明図
【図１３】実施形態４の説明図
【図１４】実施形態５の配置説明図
【図１５】実施形態６の説明図
【図１６】実施形態６の説明図
【図１７】実施形態７の説明図
【図１８】実施形態８の説明図
【図１９】実施形態９の説明図
【図２０】実施形態１０の説明図
【図２１】実施形態１１の説明図
【図２２】実施形態１０・１１の効果の説明図
【図２３】実施形態１２の説明図
【図２４】実施形態１３の説明図
【図２５】実施形態１３の説明図
【符号の説明】
【０１２５】
１  凹レンズ（光学素子）
１１  鏡筒
１８  穴
２１  アウター（第１の部材）
２２  ロッド（第２の部材）
【図１】
2010097069.tif 000006
【図２】
2010097069.tif 000007
【図３】
2010097069.tif 000008
【図４】
2010097069.tif 000009
【図５】
2010097069.tif 000010
【図６】
2010097069.tif 000011
【図７】
2010097069.tif 000012
【図８】
2010097069.tif 000013
【図９】
2010097069.tif 000014
【図１０】
2010097069.tif 000015
【図１１】
2010097069.tif 000016
【図１２】
2010097069.tif 000017
【図１３】
2010097069.tif 000018
【図１４】
2010097069.tif 000019
【図１５】
2010097069.tif 000020
【図１６】
2010097069.tif 000021
【図１７】
2010097069.tif 000022
【図１８】
2010097069.tif 000023
【図１９】
2010097069.tif 000024
【図２０】
2010097069.tif 000025
【図２１】
2010097069.tif 000026
【図２２】
2010097069.tif 000027
【図２３】
2010097069.tif 000028
【図２４】
2010097069.tif 000029
【図２５】
2010097069.tif 000030